(57)【要約】      （修正有）【課題】通常の座姿勢においては腰部への負担軽減を実現するとともに、多種多様な柔軟運動やストレッチ運動を一人で行うことができる座椅子を提供する。【解決手段】座部１と、該座部の後方より立設された支柱３と、該支柱の上部に取り付けられ、該支柱より左右方向に突出して設けられた腰当部２からなる座椅子であって、前記支柱３の下部には転倒防止突起４が後方に突出して設けたことを特徴として座椅子を構成する。【選択図】図１
0003161619.tif 000002
【実用新案登録請求の範囲】
【請求項１】
座部と、該座部の後部より立設された支柱と、該支柱の上部に取り付けられ、該支柱より左右方向に突出して設けられた腰当部からなる座椅子であって、前記支柱の下部には転倒防止突起が後方に突出して設けられていることを特徴とする座椅子。
【請求項２】
前記座部の座面より前記腰当部の上面までが１８ｃｍないし２５ｃｍの範囲であることを特徴とする請求項１に記載の座椅子。
【請求項３】
前記腰当部の幅が４５ｃｍ以下であることを特徴とする請求項１または請求項２に記載の座椅子。
【請求項４】
前記支柱が、前記座部に対して角度を調整可能に枢設されていることを特徴とする請求項１ないし請求項３のいずれか１項に記載の座椅子。
【考案の詳細な説明】
【技術分野】
【０００１】
本考案は、座姿勢における腰部への負担軽減を実現し、一人で柔軟運動やストレッチ運動を行うことができる機能を備えた座椅子の構造に関するものである。
【背景技術】
【０００２】
従来の座椅子は「座って楽」ということを主な目的とし、休息時には、より身体が楽になるようにと、仰臥姿勢又は横臥姿勢が可能なもの、あるいはマッサージ機能が付いたもの等があったが、いずれも座椅子の使用者を静的に捉えていた。
【０００３】
一方、座椅子の使用者を動的に捉えたものとしては、屈伸運動や腹筋運動を一人で可能とするものがあったが、出来る運動が限られることや、座り直しが必要であるなど、機能的に制約を伴うものであった。また、運動機能を有する従来の座椅子は、運動時の機能を重要視するあまり、通常の座姿勢の際の腰部に対する負担軽減については、おろそかになりがちであった（特許文献１、２参照）。
【先行技術文献】
【特許文献】
【０００４】
【特許文献１】特開２００４−３０５６４７号
【特許文献２】特開２００７−２０２７６０号
【考案の概要】
【考案が解決しようとする課題】
【０００５】
従って、本考案は、通常の座姿勢においては腰部への負担軽減を実現するとともに、多種多様な柔軟運動やストレッチ運動を一人で行うことができる座椅子を提供することをその課題とするものである。
【課題を解決するための手段】
【０００６】
本考案は、上記課題を解決するものであり、座部と、該座部の後方より立設された支柱と、該支柱の上部に取り付けられ、該支柱より左右方向に突出して設けられた腰当部からなる座椅子であって、前記支柱の下部には転倒防止突起が後方に突出して設けられていることを特徴とする座椅子である。
【考案の効果】
【０００７】
本考案に係る座椅子は、多くの座姿勢が可能であり、その座姿勢を続けることにより生じる腰の特定部位への負荷は若干の身体移動で中断又は軽減出来る。また、その座姿勢毎に多くの柔軟運動やストレッチ運動が出来、さらにその運動を効果的に行うには逃げてしまっては困る身体部位の固定が工夫可能であり、さらに、座椅子の腰当部に手を掛けて押したり、引いたりすることで、その運動における負荷をより大きくするなどして、パートナー無しでは難しい運動も一人で行うことができる。
【図面の簡単な説明】
【０００８】
【図１】本考案に係る座椅子の後方からの斜視図。
【図２】本考案に係る座椅子の骨組みの後方からの斜視図
【図３】本考案に係る座椅子を使用した座姿勢の一態様を表した図。
【図４】本考案に係る座椅子を使用した座姿勢の別の態様を表した図。
【図５】本考案に係る座椅子を使用した座姿勢の別の態様を表した図。
【図６】本考案に係る座椅子を使用した運動の一態様を表した図。
【図７】本考案に係る座椅子を使用した運動の別の態様を表した図。
【図８】本考案に係る座椅子を使用した運動の別の態様を表した図。
【図９】本考案に係る座椅子を使用した運動の別の態様を表した図。
【考案を実施するための形態】
【０００９】
以下、本考案の座椅子の一実施態様を、図面に基づいて具体的に説明する。なお、本考案はこれら実施態様に何ら制約されるものではない。
【００１０】
図１は本考案に係る座椅子の後方からの斜視図である。図中、１は座部、２は腰当部、３は支柱、４は転倒防止突起、１１は座面、Ｘは座面より腰当部の上面までの距離をそれぞれ示す。
【００１１】
図１に示すように、本考案に係る座椅子は、略矩形の座部１と、その座部１の後部から立設された支柱３と、その支柱３の上部に取り付けられた腰当部２とからなる。腰当部２は支柱３の左右に突出するよう設けられている。腰当部２は、座姿勢において腰部を適切に支持するとともに、運動時にはこの腰当部２を掴んで押すあるいは引くことにより、体の特定の部位にかける負荷を調整することができる。さらに、支柱３の下部には、転倒防止突起４が後方に突出して設けられている。このように、転倒防止突起４が後方に突出していることにより、運動時に腰当部２に体重をかけた場合に座椅子が後方に転倒することを防止することができる。
【００１２】
座面１１より腰当部２の上面までの距離Ｘは任意であるが、座姿勢における腰部への負担軽減や、後述する各種運動の効果を十分に引き出すためには、その範囲を１８ｃｍないし２５ｃｍとすることが望ましい。また、腰当部２の幅については、同様の理由により、４５ｃｍ以下とすることが望ましい。
【００１３】
図２は、本考案に係る座椅子の骨組みを表した斜視図である。図中、１２は座部フレーム、３１は支柱フレーム、３２は枢設部、４１は転倒防止突起骨部をそれぞれ示す。本考案に係る座椅子は、その基本的な骨組みをスチール製のパイプおよびプレートからなるフレームで構成し、かかる骨組みの上から、ウレタンなどの弾力性を有するカバー生地を被せて使用する。
【００１４】
本実施態様の支柱フレーム３１は、座部フレーム１２に対し、枢設部３２を介して角度を調整できるよう枢設されている。かかる角度は任意に設定可能であるが、本実施態様のものは、収納時に支柱フレーム３１を後方に倒して座部フレーム１２に対し平行方向に伸ばすことが可能となっており、よって、支柱３は座部１に対しておよそ９０度ないし１８０度の範囲で調整可能となっている。
【００１５】
次に、本考案に係る座椅子の具体的な使用方法について説明する。図３ないし図５は、本考案に係る座椅子を使用した座姿勢の態様を表した図である。図３のように本発明の座椅子に深く座った場合、使用者の骨盤上部から腰椎の下部辺りが、座椅子の腰当部２に寄り掛り、支えられているが、この姿勢から使用者が上半身を後傾すると、その上半身は腰当部２に乗り掛る状態となる。すなわち、本座椅子の使用者は、深い座り姿勢の時に、上半身を後傾して座椅子の腰当部に乗り掛ることで腰部に加わる負荷を中断したり、軽減したり出来る。
【００１６】
また、図４のように浅く座った姿勢では、上半身は座椅子の腰当部３に乗り掛っているので腰への負荷は小さい。さらに腰当部３は力学的に支点となっているので臀部の滑りもなく、また、上半身の反りだけではなく腹圧の調整でも、腰部に加わる負荷のコントロールが出来る。
【００１７】
本考案に係る座椅子を使った正座では、一般の正座や正座用椅子による正座と異なり、図５のような臀部を後方斜め下から支え、臀部が踵に若干触れる程度の正座姿勢を可能とする。この正座姿勢は骨盤が立ち易いだけでなく背筋も伸び、又股関節の可動による重心移動が全方向に行ない易いので、腰椎の椎間板の特定部位に負荷が加わり続かないようにコントロール出来る。
【００１８】
次に、本考案に係る座椅子を使用した運動の具体例について、図６ないし図９により説明する。本発明の座椅子による伸身の前屈では、図６のように、脚を伸ばして深く座った姿勢から両手で座椅子の腰当部を掴み、胸を開いて腰を伸ばし、骨盤が立って臀部が浮きぎみになるように腕に力を入れる。そして、股関節のみ曲げる意識で座椅子の腰当部２を後方に押し、さらに両腕が背中に覆い被さり、胸椎が曲がらないように両肘を伸ばしていく（図７）。以上のような股関節の柔軟性を高めるための伸身の前屈運動では、股関節への意識を明確にし、先に曲がり易い腰椎や胸椎を伸ばしておくことで股関節に効率的に負荷を与え、かつ座椅子の腰当部を後方に押すことでパートナー無しでも強い負荷を加えることが可能となる。このような前屈運動は他の座姿勢、例えば図８のような開脚、足裏を合わせた座姿勢、また片膝を立てた座姿勢であっても、同じ要領で効率的な強い負荷を加えることが出来る。
【００１９】
さらに、図９のように、左腕は出来るだけ鎖骨の延長線上になるように伸ばし、左肘と左膝を合わせ、左臀部の内転により左膝で押し、左側腹部を伸ばしながら左上半身を強く捻る。また、座椅子の腰当部２の上に置いた腕に乗り掛り、右側腹部を伸ばしながら上半身の右側腹部がより捻じれるように右腕に力を入れる。これらの運動は骨盤を固定した状態で左右の側腹部を伸ばしながら両腕と片方の脚の力を十分に加える事が出来るので効率的な強い捻りを生むことが出来る。さらにこの運動は、側腹部のストレッチや肋骨・肩甲骨・肩関節の可動性を高める効果もある。このように、本考案に係る座椅子を使って上半身を捻る運動もいろいろな座姿勢からできるが、骨盤を固定する事により効率的に負荷を加えることができ、かつ座椅子の腰当部を押したり、引いたりすることにより大きな力を加えることができる。
【符号の説明】
【００２０】
１……座部
２……腰当部
３……支柱
４……転倒防止突起
１１……座面
１２……座部フレーム
３１……支柱フレーム
３２……枢設部
４１……転倒防止突起骨部
Ｘ……座面より腰当部の上面までの距離
【図１】
0003161619.tif 000003
【図２】
0003161619.tif 000004
【図３】
0003161619.tif 000005
【図４】
0003161619.tif 000006
【図５】
0003161619.tif 000007
【図６】
0003161619.tif 000008
【図７】
0003161619.tif 000009
【図８】
0003161619.tif 000010
【図９】
0003161619.tif 000011